(57)【要約】【課題】  ＨＤモード後にＳＤモードでつなぎ撮りした場合の、再生画像品質を改善する。【解決手段】  ＨＤモード記録の後に、ＶＢＶ遅延の最大値に相当する時間分だけ、ヌルデータの無効トラックを記録する。その無効トラックに続けて、ＳＤモードで画像データを記録する。無効トラックの数は、ＶＢＶ遅延の最大値、又は、ＭＰＥＧ２の最終ピクチャのＶＢＶ遅延時間により決定される。【選択図】  図７
2005347960.tif 000002
【特許請求の範囲】
【請求項１】
第１の解像度の画像データを記録する第１の記録モードと、当該第１の記録モードよりも低解像度の第２の画像データを記録する第２の記録モードとを選択的に用いてテープ状記録媒体上に形成された多数のトラックに対して画像データを記録する記録装置に対して適用可能な方法において、
前記テープ状記録媒体上に前記第１の記録モードにて記録された第１の画像データに引き続いて前記第２の記録モードにて前記第２の画像データを記録するつなぎ記録モードにおいて、前記第１の記録モードで前記第１の画像データが記録されたトラックに続けて、所定トラック数分、無効データを記録した後、前記第２の記録フォーマットで前記第２の画像データを記録することを特徴とするデジタル信号記録方法。
【請求項２】
当該第１の記録モードにおいて、前記第１の画像データをＭＰＥＧ方式で符号化して記録し、当該第２の記録モードにおいて、前記第２の画像データをがＭｏｔｉｏｎＪＰＥＧ方式で符号化して記録することを特徴とする請求項１に記載のデジタル信号記録方法。
【請求項３】
当該所定トラック数が、当該ＭＰＥＧ符号化におけるＶＢＶ遅延により決定されることを特徴とする請求項２に記載のデジタル信号記録方法。
【請求項４】
当該所定トラック数が、ＭＰＥＧ２のメインプロファイルによって決まるＶＢＶ遅延の最大値に相当する時間分に相当することことを特徴とする請求項２に記載のデジタル信号記録方法。
【請求項５】
当該所定トラック数が、ＭＰＥＧ２の最終ピクチャのＶＢＶ遅延時間分に相当することことを特徴とする請求項２に記載のデジタル信号記録方法。
【請求項６】
第１の解像度の画像データを記録する第１の記録モードと、当該第１の記録モードよりも低解像度の第２の画像データを記録する第２の記録モードとを選択的に用いて、テープ状記録媒体上に多数のトラックを形成して画像データを記録する記録処理手段と、
前記テープ状記録媒体上に前記第１の記録モードにて記録された前記第１の画像データに引き続いて前記第２の記録モードにて前記第２の画像データを記録するつなぎ記録モードにおいて、前記第１の記録モードで前記第１の画像データが記録されたトラックに続けて、所定トラック数分、無効データを記録した後、前記第２の記録モードで前記第２の画像データを記録するよう前記記録手段を制御する制御手段
とを具備することを特徴とするデジタル信号記録装置。
【請求項７】
当該第１の記録モードにおいて、前記第１の画像データをＭＰＥＧ方式で符号化して記録し、当該第２の記録モードにおいて、前記第２の画像データをがＭｏｔｉｏｎＪＰＥＧ方式で符号化して記録することを特徴とする請求項６に記載のデジタル信号記録装置。
【請求項８】
当該所定トラック数が、前記ＭＰＥＧ符号化におけるＶＢＶ遅延により決定されることを特徴とする請求項７に記載のデジタル信号記録装置。
【請求項９】
当該所定トラック数が、ＭＰＥＧ２のメインプロファイルによって決まるＶＢＶ遅延の最大値に相当する時間分に相当することことを特徴とする請求項７に記載のデジタル信号記録装置。
【請求項１０】
当該所定トラック数が、ＭＰＥＧ２の最終ピクチャのＶＢＶ遅延時間分に相当することことを特徴とする請求項７に記載のデジタル信号記録装置。
【発明の詳細な説明】
【技術分野】
【０００１】
本発明は、デジタル信号、例えばデジタル画像データを記録媒体に記録するデジタル信号記録方法及び装置に関する。
【背景技術】
【０００２】
膨大なデータ量の各種データを、比較的低速の伝送レートで伝送できるように、圧縮符号化することは、周知である。例えば、画像データを磁気テープ等の記録媒体に記録する民生用のデジタルＶＴＲの規格としてＤＶフォーマットが知られており、このＤＶフォーマットにおけるＳＤ仕様では、１２４Ｍｂｐｓ程度の入力画像データを５分の１の２５Ｍｂｐｓ程度に圧縮して、磁気テープ上に記録する。
【０００３】
ＤＶフォーマットのデジタルＶＴＲでは、入力データを離散コサイン変換した後に量子化し、量子化されたデータを可変長符号化することによってデータを圧縮している。さらに、量子化の量子化ステップを各種のパラメータに基づいて変更することで、可変長符号化後のデータ量が一定となるように、符号化レートが制御される。
【０００４】
また、最近、この様なＤＶフォーマットの記録方式を用いて、高品位の映像データ（以下、ＨＤ（Ｈｉｇｈ  ｄｅｆｉｎｉｔｉｏｎ）映像データと称する。）をＭＰＥＧ符号化して記録する技術が、提案されている（例えば、特許文献１参照）。
【特許文献１】特開２００１−２８３５３１号公報
【発明の開示】
【発明が解決しようとする課題】
【０００５】
上述のようなデジタルＶＴＲ装置でつなぎ撮りを行った場合、ＳＤモードによる記録と、ＨＤモードによる記録が同一記録テープ上に混載する可能性がある。この場合、符号化レートがいずれも２５Ｍｂｐｓであり、図４に示すように、異なる記録フォーマットのデータがシームレスに記録される。
【０００６】
ところが、このように記録された記録テープを再生した場合、ＨＤ映像データは、ＭＰＥＧ２記録であるので、最後の再生画像を復号し表示するまでに、ＶＢＶ（Ｖｉｄｅｏ  Ｂｕｆｆｅｒｉｎｇ  Ｖｅｒｉｆｉｅｒ）遅延による遅延が発生する。他方、ＳＤ映像データにはＶＢＶ遅延が存在しないので、速やかな復号・表示が可能である。
【０００７】
従って、図４に示すように、ＨＤ映像データに続けてＳＤ映像データが記録されている場合、つなぎ部分のＨＤ映像データが復号化処理中に処理を打ち切られるか、又は、ＳＤ映像データの最初の数フレームが再生されないことになる。この結果、著しく再生画像品質が劣化する。
【０００８】
本発明は、上述のような実情に鑑みてなされたものであり、複数の記録フォーマットが混在しても良好な再生画像品質を得られるデジタル信号記録方法及び装置を提示することを目的とする。
【課題を解決するための手段】
【０００９】
本発明に係るデジタル信号記録方法は、第１の解像度の画像データを記録する第１の記録モードと、当該第１の記録モードよりも低解像度の第２の画像データを記録する第２の記録モードとを選択的に用いてテープ状記録媒体上に形成された多数のトラックに対して画像データを記録する記録装置に対して適用可能な方法において、前記テープ状記録媒体上に前記第１の記録モードにて記録された第１の画像データに引き続いて前記第２の記録モードにて前記第２の画像データを記録するつなぎ記録モードにおいて、前記第１の記録モードで前記第１の画像データが記録されたトラックに続けて、所定トラック数分、無効データを記録した後、前記第２の記録フォーマットで前記第２の画像データを記録することを特徴とする。
【００１０】
本発明に係るデジタル信号記録装置は、第１の解像度の画像データを記録する第１の記録モードと、当該第１の記録モードよりも低解像度の第２の画像データを記録する第２の記録モードとを選択的に用いて、テープ状記録媒体上に多数のトラックを形成して画像データを記録する記録手段と、前記テープ状記録媒体上に前記第１の記録モードにて記録された前記第１の画像データに引き続いて前記第２の記録モードにて前記第２の画像データを記録するつなぎ記録モードにおいて、前記第１の記録モードで前記第１の画像データが記録されたトラックに続けて、所定トラック数分、無効データを記録した後、前記第２の記録モードで前記第２の画像データを記録するよう前記記録手段を制御する制御手段とを具備することを特徴とするデジタル信号記録装置。
【発明の効果】
【００１１】
本発明によれば、第２の記録モードで再生された画像データの再生に間に合うように、第１の記録モードで記録された画像データを確実に再生表示できるようになる。これにより、高い再生画像品質を実現できる。
【発明を実施するための最良の形態】
【００１２】
以下、図面を参照して、本発明の実施例を詳細に説明する。
【００１３】
図１は、デジタルＶＴＲに適用した本発明の一実施例の概略構成ブロック図を示す。
【００１４】
本実施例は、各種処理ブロックは、内部のＣＰＵ１９，２３及び外部のＣＰＵによって制御されつつ、所望のタイミングでメモリ１７にアクセスする。図示しないメモリ制御部が、これらのアクセス要求を調停する。
【００１５】
また、各処理ブロックは、ＳＤ及びＨＤ対応の画像データ及びオーディオデータをリアルタイムで処理できる。このような処理ユニットを並列に配置し、各処理ユニットに時分割的に画像データ及びオーディオデータを供給して処理させることによって、１フレーム当たりのデータ量がＳＤ画像データの倍であるＨＤ対応の画像データ及びオーディオデータをリアルタイムに処理出来るように構成されている。
【００１６】
データＩ／Ｏブロック１は、カメラからの入力データ、ＥＶＦ（電子ビューファインダ）への出力データ、及びライン入出力データ等のデータを処理する。画像データ入出力ブロック３は、データＩ／Ｏブロックによる入力データに対してＹ／Ｃ分離等の処理をし、オーディオ処理ブロック５は、オーディオデータを処理する。符号化／復号化ブロック７は、画像データに対して離散コサイン変換を用いた可変長符号化／復号化を行い、誤り訂正ブロック９は、記録のための誤り訂正符号化を行ない、再生データの誤りを訂正する。符号化データ入出力ブロック１１は、記録時に符号化データをテープフォーマットに変換し、再生時には、逆のデフォーマット処理をする。電磁変換処理ブロック２５は、記録／再生時の電磁変換処理を行う。これらのブロック１，３，５，９，１１，２５は、アドレス変換回路１３及びメモリインターフェース１５を介して外付けのメモリ１７にデータを書込み読み出しする。
【００１７】
システム制御ＣＰＵ１９及びサーボ系ＣＰＵ２３は、これら処理ブロック１，３，５，９，１１，１３，１５，１７，２５の動作を制御する。具体的には、システム制御ＣＰＵ１９は、ＣＰＵバス３３を介して所定のコマンドをこれら処理ブロックに供給し、サーボ系ＣＰＵ２３は、ＣＰＵバス３５及び／又はインターフェース２１を介して所定のコマンドをこれら処理ブロックに供給し、これにより、各処理コマンドを時分割動作させる。
【００１８】
メモリ１７は、クロックの立ち上がりに同期してデータをバースト転送するＳＤＲＡＭ（Ｓｙｎｃｒｏｎｏｕｓ−ＤＲＡＭ）からなる。図１に示すようなジッタの無い外部の周波数発振器２７から上記ユニット内の周波数逓倍器２９に例えば２７ＭＨｚのクロックを供給し、周波数逓倍器２９は、６７．５ＭＨｚのリファレンスクロック（ＭＣＬＫ）を生成する。周波数発振器３１は、水平同期信号Ｈ＿Ｓｙｎｃにロックした１３．５ＭＨｚのクロックを生成する。周波数逓倍器２９で生成されるリファレンスクロックの周波数６７．５ＭＨｚは、周波数発振器３１で生成されるクロックの周波数の整数倍（ここでは５倍）に設定されている。
【００１９】
メモリ１７のメモリ領域には、符号化される前の画像データ（Ｙ，Ｃｒ，Ｃｂ）が画素単位で書き込まれる。この画像データ（ＮＴＳＣ方式のＳＤモードの場合で、１フレーム当たり水平７２０画素×垂直４８０画素）は、水平方向５ブロック×垂直方向１０ブロックの５０個のスーパーマクロブロック（以下、ＳＭＢと記す）に文化通され、各ＳＭＢは２７個のマクロブロック（以下、ＭＢと記す）からなり、マクロブロックは、輝度データの４個のＤＣＴブロックと、色差データの各１個のＤＣＴブロックとから成る。ＤＣＴブロックは８×８画素から構成される。
【００２０】
まず、ＳＤモードに対する各処理ブロックの動作を説明する。
【００２１】
上述のような画素数から成る１フレームの画像データは、ＮＴＳＣ方式の場合、ＭｏｔｉｏｎＪＰＥＧ方式に従い、フレーム内の画像データのみを用いて符号化処理された後に磁気テープ上の１０トラックに渡って記録される。符号化前の画像データは、上述のような水平方向に整列された５ＳＭＢ分のデータが１本のトラックにそれぞれ対応する。
【００２２】
一方、メモリ１７のメモリ領域には、符号化された後の画像データ及び誤り訂正符号等が格納されている。記録媒体に記録される場合に、これらのデータは、上述の１０本のトラックに分配されて記録される。各トラックに対応する領域には、１４９個のシンクブロック（以下、ＳＢと記す）が記録される。
【００２３】
同様に、図示していないが、オーディオデータ及びその誤り訂正符号等も、画像データ領域とは独立した１０本のトラックに分配されて記録され、各トラックに対応する領域には１４個のＳＢが記録される。
【００２４】
画像データ／オーディオデータの各ＳＢは、ＳＢの先頭を示す同期データ（以下、ＳＹと記す）、信号の各アドレス及び属性等を示すＩＤデータ（以下、ＩＤと記す）、有効（画像／オーディオ）データ、及びパリティから構成される。
【００２５】
次に、ＨＤモード時の各ブロックの動作を説明する。但し、ＳＤモードと同様なブロックの説明は、省略する。
【００２６】
入力されたＨＤ映像信号は、画像入出力ブロック３を介してメモリ１７の所定領域に書き込まれる。符号化／復号化ブロック７は、そのＨＤ映像信号をメモリ１７の所定領域から読出し、ＭＰ＠ＨＬ又はＭＰ＠Ｈ−１４などのＭＰＥＧ方式で圧縮し、その圧縮データは、メモリ１７の別の所定領域に書き込まれる。入力された音声データは、オーディオ処理ブロック５を介してメモリ１７の所定領域に書き込まれ、その後、符号化／復号化ブロック７は、映像データと同様に音声データをメモリ１７から読み出し、例えばＤＶフォーマットの音声圧縮方式に対応する方式で圧縮する。ＡＵＸデータ及びサブコードデータなどで構成されるシステムデータは、システム制御ＣＰＵ１９によりメモリに書き込まれる。
【００２７】
メモリ１７に書き込まれた入力データは、誤り訂正ブロック９により誤り訂正符号及びＩＤを付加され、１６トラック間でのインタリーブ処理を施される。その後、符号化データ入出力ブロック１１は、メモリ１７からデータを読み出し、トラッキング用のパイロット信号成分が強く出るように選ばれた冗長な１ビットを付加することで２４ビット単位のデータを２５ビット単位のデータに変換する。以後、この変換を２４−２５変換と呼ぶ。符号化データ入出力ブロック１１は、後述するメインデータ又はサブコードに付加するシンクデータ、アンブルデータ及びＩＴＩのデータを発生する。
【００２８】
これらの処理のために、アドレス変換回路１３は、ＣＰＵ１９，２３からバス３３を介して再生モード及び記録モードといった各種動作モードの種類等を指定するコマンドが伝送されるか、又は、直接、各ブロックのアドレスの所定ビットによって上記モードが伝送されると、これらの情報に応じてデータ転送の優先順位に関するスケジューリングを行うと共に、各ブロックからのアクセス要求（以下、Ｒｅｑと記す）に応じて各処理ブロックとメモリ１７との間のデータ転送を調停する。
【００２９】
コマンドは、機器本体の各スイッチ等によって設定される動作モードをＣＰＵ１９，２３が検出する事によって決定されるものであり、例えば、符号化モード、復号化モード、、及びＶＴＲにおける特殊再生モード等がある。
【００３０】
アドレス変換回路１３は、各処理ブロックにおける処理形態及びメモリ１７のアドレス空間に応じた最適なデータ単位でアドレッシングし得るように、各処理ブロック毎に後述するアドレスを生成する。アドレス変換回路１３におけるアドレス生成動作は、ＣＰＵ１９，２３から伝送される画像タイプに応じたパラメータに基づいて可変設定され、アドレス変換回路１３は、例えば処理すべき画像がＳＤかＨＤかといった画像タイプ（サイズ）に応じて異なるアドレスを発生する。
【００３１】
各処理ブロックにはそれぞれに必要なクロックが供給されており、各処理ブロックは、そのクロックに同期して動作する。これらのクロックには、入力信号中から抽出される同期信号ＨＳｙｎｃ，ＶＳｙｎｃ、及び内部基準クロック等に基づいて画像データ入出力ブロック３に供給されて入力信号に同期する第１のクロック（本実施例では、１３．５ＭＨｚ）、オーディオ処理ブロック５に供給されてオーディオデータの処理を行うための第２のクロック（本実施例では、４８ＫＨｚ）、符号化／復号化ブロック７、誤り訂正ブロック９、アドレス変換回路１３、メモリＩ／Ｆ１５及びメモリ１７に供給される第３のクロック（本実施例では、６７．５ＭＨｚ）、符号化データ入出力ブロック１１に電磁変換処理ブロックから供給されるドラムの回転に同期したクロックであって、記録媒体への記録／再生に使用される第４のクロック（本実施例では４１．８５ＭＨｚ）がある。
【００３２】
図２は、電磁変換処理ブロック２５により記録媒体に記録されるＳＤフォーマットのトラック構成図を示す。ここで、記録ヘッドは矢印方向に移動する。
【００３３】
２００はプリアンブル／ポストアンブル、及びトラック情報等が記録されるＩＴＩ領域である。ＩＴＩセクタの先頭には、１４００ビットのＩＴＩプリアンブルが配置される。ＩＴＩプリアンブルの次には１８３０ビットのＳＳＡが配置される。ＳＳＡの検出により、続くＴＩＡのスタートが検出される。ＳＳＡの次には、９０ビットのＴＩＡが配置される。ＴＩＡの中には、図５に示すようなＡＰＴ［２：０］領域があり、その３ビットの値が“０００”の場合、トラックにＳＤフォーマットのデータが記録されている事を意味する。同様に、その３ビットが“１１１”である場合、そのトラックにデータが記録されていない事を意味する。本実施例では、“１１１”の値が記録されている場合、そのトラックにＨＤフォーマットのデータが記録されているものとして再生処理が実行される。ＩＴＩセクタのフォーマットは、ＳＤモード及びＨＤモードにおいて共通である。
【００３４】
２０２はエディットギャップ、２０４はオーディオプリアンブル、２０６は１４ＳＢで構成されるオーディオデータ、２０８はオーディオポストアンブル、２１０はエディットギャップ、２１２はビデオプリアンブル、２１４は１４９ＳＢで構成されるビデオデータ、２１６はビデオポストアンブル、２１８はエディットギャップ、２２０はサブコードプリアンブル、２２２は１２ＳＢで構成されるサブコードデータ、２２４はサブコードポストアンブル、２２６はオーバーライトマージンである。
【００３５】
サブコードデータ２２０には、図６に示したように、５ビットで磁気テープに記録されているフォーマット識別コードが記録されている。サブコードデータは、ＩＴＩセクタと同様にＳＤモードとＨＤモードで共通である。
【００３６】
図３は、ＨＤフォーマットに於けるトラック構成図である。ＩＴＩセクタ３００、サブコードデータ３０４、サブコードポストアンブル３０６及びオーバーライトマージン３０８は、ＳＤフォーマットと共通である。メインセクタ３０２は、ＨＤ映像データをＳＤフォーマットと同様に２５Ｍｂｐｓで記録できるようにするために、エディットギャップ及びプリアンブル領域を音声エリア及び映像エリアに割り振った構成になっている。これは例えば、特開２００１２７５０７６号公報に開示されているＨＤフォーマットの構成である。
【００３７】
メインセクタ３０２の詳細な構成は図示していないが、図１０に示したようなビデオＡＵＸ（以降、ＶＡＵＸと記す。）データとして、パックデータと呼ばれる５バイト単位のデータがあり、様々なシステムデータ等が付加されている。ＭＰＥＧ符号化に当たっては、ピクチャ単位のＶＢＶ遅延値がＶＡＵＸに記される事が一般的である。本実施例では、パックアドレスが０ｘ５ＣのエリアにＶＢＶ遅延が記される事を前提としている。ここで、ＶＢＶ遅延両は、システムクロック９０Ｈｚ周期のいくつ分に相当するかをそのサイクル数で表現される。例えば、ＶＢＶ遅延が９サイクルであったとすると、その時のＶＢＶ遅延時間は０．１秒となる。
【００３８】
図７は、本実施例により異なるフォーマットが混載する時の記録パターンの一例を示す。ＨＤフォーマットで記録された記録テープにＳＤフォーマットのデータを記録する場合の記録動作を説明する。
【００３９】
図示しない記録ヘッドは、ＨＤ記録の最終トラック近辺で停止している。ここで、機器の外部ボタンによりＳＤ記録モードに設定された場合、磁気テープは、一旦逆方向に戻され（以降、プリロールと記す。）、再生動作を行い、記録のための頭だしを行う。それにより、ＨＤ記録されている最終トラックにシームレスにつなぎ撮りできる位置に記録ヘッドが停止して、記録待機の状態に制御される。プリロール再生中にＩＴＩセクタ又はサブコードデータを再生することにより、現在、記録されているデータがＨＤフォーマットである事を認識でき、本実施例は、この認識に従い、ＨＤ記録の最終トラックに連続して複数のトラックにヌル（Ｎｕｌｌ）データを書き込む。ヌルデータを書き込むトラック数は、後述する。ヌルデータとは、ＶＡＵＸ及び音声ＡＵＸ（以降、ＡＡＵＸと記す。）の所定のビット領域に例えば’１’をセットする事であり、このトラックには無効データが記録されている事を示す。その後、記録開始ボタンが押されると、ＳＤフォーマットのデータの記録が開始される。システム制御ＣＰＵ１９が、これらの動作を制御する。
【００４０】
図８を参照して、本実施例の特徴的な動作を説明する。本実施例の特徴は、ヌルデータを書き込むトラック数をＶＢＶ遅延の最大値により規定する事にある。ＭＰＥＧに於けるＭＰ＠ＨＬ方式及びＭＰ＠Ｈ−１４方式にはメインプロファイルが規定されており、それぞれの場合の最大トータルＶＢＶバッファ容量が規定される。ここでは、ＭＰ＠Ｈ−１４方式を採用した場合を前提に説明する。ＭＰ＠Ｈ−１４方式のメインプロファイルでは、最大トータルＶＢＶバッファ容量が７３４００３２ビットと規定されている。
【００４１】
例えば、ＭＰＥＧの符号化レートが２７Ｍｂｐｓである場合、ＶＢＶ遅延の最大値は、
ＶＢＶ遅延の最大値＝ＶＢＶバッファ容量／ＭＰＥＧの符号化レート
で与えられ、
ＶＢＶ遅延の最大値＝7340032bit/27000000bps＝０．２７１秒
となる。これは、１ピクチャの画像データをデコードして画像として表示出来るまでの遅延が、最悪で０．２７１秒になることを意味している。従って、記録時に、ヌルデータを上述のＶＢＶ遅延の最大値の時間分だけ記録しておけば、再生時において、つなぎ撮りの部分でＨＤフォーマットの再生データが途切れなくなる。
【００４２】
ＶＢＶ遅延の最大値は、下記式によりトラック数に変換できる。１トラックの時間は３００Ｈｚであるので、
トラック数＝０．２７１秒×３００Ｈｚ＝８１．３
となる。従って、少なくとも８１．３トラック分のフルデータを記録する必要がある。トラック数は整数である必要があるので、小数部分を切り上げる。
【００４３】
図８は、システム制御ＣＰＵ１９による制御フローチャートを示す。
【００４４】
ステップＳ８００で処理が開始する。記録モード設定ステップＳ８０２では、図示しない機器の外部ボタンによりＳＤフォーマットかＨＤフォーマットかが設定される。ステップＳ８０４では、テープ送り機構により磁気テープをプリロールさせて再生し、頭出しを行う。ステップＳ８０６では、そのプリロール再生から、前述したようにＩＴＩ又はサブコードの再生データから既に記録されているデータの記録モード（以降、既記録モードと記す。）を抽出する。既記録モードがＨＤモードである場合は、ステップＳ８０８に遷移し、上述した手段によりＶＢＶ遅延の最大値を求めて所定のレジスタに設定し、ステップＳ８１０に遷移する。既記録モードがＨＤモードでない場合、ステップＳ８１８に遷移し、設定モードに従い記録動作を実行する。
【００４５】
ステップＳ８１０では、既記録モードと設定記録モードが一致しているかを判定し、一致していれば、ステップＳ８１８に遷移し、設定モードに従い記録動作を実行する。一致していなければ、ステップＳ８１２に遷移し、上記計算式からヌルデータを記録するトラック数（以降、ＮＴＲと記す。）を求め、ステップＳ８１４に遷移する。ＮＴＲは整数である必要があるので、小数部分を切り上げて、８２トラックとなる。ステップＳ８１４では、塗るデータの記録を開始し、ステップＳ８１６でヌルデータを記録したトラック数とＮＴＲとを比較して、８２トラック分書き終えるまで、ヌルデータの記録を継続する。８２トラック分、ヌルデータを記録したら、ステップＳ８１８遷移し、設定モードによる記録を開始する。
【００４６】
図９は、システム制御ＣＰＵ１９による別の制御フローチャートを示す。ここでは、塗るデータを記録するトラック数を、ＨＤフォーマットで記録された最終フレームに記録されているＶＢＶ遅延値によって規定する。ＶＢＶ遅延値は、システムクロックの周波数９０Ｈｚのサイクル数で表されている。例えば、ＶＢＶ遅延値が９（ｃｙｃｌｅ）であった場合、ＶＢＶ遅延量は、
ＶＢＶ遅延＝再生されたＶＢＶ遅延値×（１／９０）＝０．１秒
となる。これは、ＨＤフォーマットで記録された最終フレームを再生及びデコードし、画像として表示出来るまでの遅延が、最悪で０．１秒になることを意味する。従って、記録時には、ヌルデータを上記ＶＢＶ遅延時間分、記録しておけば、再生時において、つなぎ撮りの部分でＨＤフォーマットの再生表示が途切れない。
【００４７】
ＶＢＶ遅延の最大値は、下記式によりトラック数に変換できる。１トラックの時間は３００Ｈｚであるので、
トラック数＝０．１秒×３００Ｈｚ＝３０
となる。従って、ヌルデータを３０トラック分、記録する必要がある。
【００４８】
図９に示すフローチャートを参照して、このときのシステム制御ＣＰＵ１９による制御動作を説明する。図８と同じ動作のステップには、同じ符号を付してあり、説明を省略する。
【００４９】
ステップＳ８０６では、前述したプリロール再生から、前述したようにＩＴＩ又はサブコードの再生データにより既に記録されているデータの記録モード（既記録モード）を抽出する。既記録モードがＨＤモードである場合は、ステップＳ９０８に遷移し、上述した手段により、ＨＤフォーマットで記録された最終フレームに記録されているＶＢＶ遅延値を抽出し、ステップＳ８１０に遷移し、さらにステップＳ９１２に遷移する。
【００５０】
ステップＳ９１２では、上記計算式からＮＴＲを求め、ステップＳ８１４に遷移する。この例では、ＮＴＲが１０（トラック）となる。ステップＳ８１４では、ヌルデータの記録を開始し、ステップＳ８１６で、ヌルデータを記録したトラック数とＮＴＲを比較して、１０トラック分、ヌルデータのトラックを記録し終えるまで、ヌルデータの記録を継続する。１０トラック分だけヌルデータを記録し終えたら、ステップＳ８１８に遷移し、設定モードによる記録を開始する。
【００５１】
上述した実施例は、本発明の一例であって、ＳＤフォーマットとＨＤフォーマットの組み合せのみならず、ＭＰＥＧを用いた他のフォーマットとの混載記録においても同様の処理が可能であることは明らかである。
【図面の簡単な説明】
【００５２】
【図１】本発明の一実施例の概略構成ブロック図である。
【図２】ＳＤフォーマットでのデジタルＶＴＲのトラック構成図である。
【図３】ＨＤフォーマットでのデジタルＶＴＲのトラック構成図である。
【図４】従来に於ける、複数の記録フォーマットが混在した記録テープの記録パターンを示す図である。
【図５】ＩＴＩのＡＰＴ［２：０］領域の構成図である。
【図６】サブコードデータの構成図である。
【図７】本実施例に於ける複数の記録フォーマットが混在した記録テープの記録パターンを示す図である。
【図８】システム制御ＣＰＵ１９による第１の制御フローチャートを示す。
【図９】システム制御ＣＰＵ１９による第２の制御フローチャートを示す。
【図１０】ＶＡＵＸの構成図である。
【符号の説明】
【００５３】
１：データＩ／Ｏブロック
３：画像データ入出力ブロック
５：オーディオ処理ブロック
７：符号化／復号化ブロック
９：誤り訂正ブロック
１１：符号化データ入出力ブロック
１３：アドレス変換回路
１５：メモリＩ／Ｆ
１７：メモリ
２１：インターフェース
２３：サーボ系ＣＰＵ
２５：電磁変換処理ブロック
２７：周波数発振器
２９：周波数逓倍器
３１：周波数発振器
３３，３５：ＣＰＵバス
【図１】
2005347960.tif 000003
【図２】
2005347960.tif 000004
【図３】
2005347960.tif 000005
【図４】
2005347960.tif 000006
【図５】
2005347960.tif 000007
【図６】
2005347960.tif 000008
【図７】
2005347960.tif 000009
【図８】
2005347960.tif 000010
【図９】
2005347960.tif 000011
【図１０】
2005347960.tif 000012